(57)【要約】【課題】ライブラリーマシーン側、およびドライブ装置側のメモリーリーダとの間で、読み書き信号の送信と受信とが確実に行える非接触型のメモリーカートリッジを備えたデータカートリッジを提供する。【解決手段】ケース本体１の内部に、ドライブ装置２５側のメモリーリーダＲ１と無線接続状態を確立する第１メモリカートリッジＭ１と、ライブラリーマシーン２１側のメモリーリーダＲ２との間で無線接続状態を確立する第２メモリーカートリッジＭ２とが設けられている。これらメモリーカートリッジＭ１・Ｍ２を、対応する前記メモリーリーダＲ１・Ｒ２と正対するように、ケース本体１の内壁面に沿うよう配置する。【選択図】図１
2005285179.tif 000002
【特許請求の範囲】
【請求項１】
ケース本体の内部に、情報記録媒体と、非接触型のメモリーカートリッジとが配置されていて、前記メモリーカートリッジがドライブ装置およびライブラリーマシーン側のメモリーリーダとの間で無線接続状態となることによって、メモリーカートリッジ内の各種データを読み書きできるデータカートリッジにおいて、
前記ケース本体の内部に、前記ドライブ装置側のメモリーリーダと無線接続状態を確立する第１メモリカートリッジと、前記ライブラリーマシーン側のメモリーリーダとの間で無線接続状態を確立する第２メモリーカートリッジの２つのメモリーカートリッジが設けられており、
前記第１・第２メモリーカートリッジが、対応するメモリーリーダと正対するように、前記ケース本体の内壁面に沿うよう配置されていることを特徴とするデータカートリッジ。
【請求項２】
前記第１メモリーカートリッジが、前記ドライブ装置への装填始端側となる前記ケース本体の前端寄りの壁面に配置されており、
前記第２メモリーカートリッジが、前記装填始端側とは反対側の前記ケース本体の後端寄りの壁面に配置されている請求項１記載のデータカートリッジ。
【発明の詳細な説明】
【技術分野】
【０００１】
本発明は、ケース本体の内部に、情報記録媒体と、非接触型のメモリーカートリッジとが配置されていて、そのメモリーカートリッジがドライブ装置、およびライブラリーマシーン側のメモリーリーダとの間で無線接続状態となることによって、メモリーカートリッジ内の各種データを読み書きできるデータカートリッジに関する。
【背景技術】
【０００２】
データカートリッジのケース内部に配置されるメモリーカートリッジには、接触型と、非接触型とがある。いずれも、磁気テープなどの情報記録媒体の特性データや、録画時の設定データ等を読み書きできる。主としてコンピュータのデータ記録媒体として用いられるテープカートリッジにおいても、非接触型のメモリーカートリッジを付加することが検討されている。そこでは、テープに記録されたデータファイルのディレクトリや使用履歴データ等をメモリーカートリッジに記憶させて、より迅速なデータ検索と的確なデータ管理等を実現し、さらにロット番号、テープの仕様や特性等のメーカーデータも併せて記録する。
【０００３】
上記のようなコンピュータデータ記録用のテープカートリッジの一群は、ライブラリーマシーンによって管理されている。従来のライブラリーマシーンにおいては、多数個のテープカートリッジが収納されたラックから、目的のテープカートリッジを取り出して、これを適合するテープドライブに装填する。具体的には、ラックに収められたテープカートリッジを自動化されたライブラリーマシーンのハンド部で掴んでテープドライブに装填する。このとき、ハンド部に設けたアンテナを含むメモリーリーダで、メモリーカートリッジ内の記録データを読み込んでテープカートリッジの仕様やデータの概要を把握し、誤ったテープカートリッジがテープドライブに装填されるのを防ぎ、あるいは形式の異なるテープカートリッジを適合するテープドライブに装填できるようにしている。テープドライブの側にも同様のメモリーリーダを設けてある。
【０００４】
テープドライブ装置におけるアンテナの位置は、テープカートリッジ内部のメモリーカートリッジの配置位置とその形態によって決まる。多くの場合は、先のアンテナをテープカートリッジ側のメモリーカートリッジと正対する位置に設けて、読み書き信号の送信と受信とを確実に行えるようにする。
【０００５】
しかし、上記のような従来システムでは、ライブラリーマシーン側のメモリーリーダの位置と、テープドライブ側のメモリーリーダの位置とが、互いに直交する位置関係にあるため、メモリーカートリッジを理想的な位置に配置することが物理的に困難である。この問題の解決策として、例えば特許文献１には、メモリーカートリッジを４５°傾けて配置することにより、直交する各メモリーリーダとメモリーカートリッジとの間の良好な無線接続状態を確保することが提案されている。
【０００６】
【特許文献１】特開２０００−３６１７８号公報（請求項１、段落０００８、図２、図３、図４）
【発明の開示】
【発明が解決しようとする課題】
【０００７】
上記のようにメモリーカートリッジを傾けて配置すると、一応は信号の送受を行えるが確実さに欠ける。すなわち、メモリーリーダのアンテナの主ローブには指向性があるが、この指向性の限界位置付近で信号の受信を行わざるを得ないため、電波の干渉やノイズを受けやすく読み書き信号が外乱を受けるおそれがある。加えてメモリーカートリッジを傾けて配置すると、テープカートリッジ内におけるメモリーカートリッジの装填スペースが大きくなるのを避けられず、その分だけテープカートリッジの設計の自由度が低下する。
【０００８】
本発明の目的は、ライブラリーマシーン側、およびドライブ装置側のメモリーリーダとの間で、読み書き信号の送信と受信とを確実に行える、非接触型のメモリーカートリッジを備えたデータカートリッジを提供することにある。本発明の目的は、データカートリッジの設計上の自由度を向上でき、しかも、ライブラリーマシーンおよびドライブ装置におけるメモリーリーダの配置位置に関して、設計上の自由度を向上できるデータカートリッジを提供することにある。
【課題を解決するための手段】
【０００９】
本発明は、図１ないし図３に示すごとく、ケース本体１の内部に、情報記録媒体３と、非接触型のメモリーカートリッジＭとが配置されていて、メモリーカートリッジＭがドライブ装置２５およびライブラリーマシーン２１側のメモリーリーダＲ１・Ｒ２との間で無線接続状態となることによって、メモリーカートリッジＭ内の各種データを読み書きできるデータカートリッジである。
【００１０】
かかるデータカートリッジにおいて、本発明は、ケース本体１の内部に、ドライブ装置２５側のメモリーリーダＲ１と無線接続状態を確立する第１メモリカートリッジＭ１と、ライブラリーマシーン２１側のメモリーリーダＲ２との間で無線接続状態を確立する第２メモリーカートリッジＭ２の２つのメモリーカートリッジＭが設けられており、これら第１・第２メモリーカートリッジＭ１・Ｍ２が、対応するメモリーリーダＲ１・Ｒ２と正対するように、ケース本体１の内壁面に沿うよう配置されていることを特徴とする。図示例では、ケース本体１内の内隅に生じる三角形状の内隅空所Ｓ内において、その左側壁１３と後側壁１５の内面に沿うように、第１・第２のメモリーカートリッジＭ１・Ｍ２がそれぞれ配置されている。
【００１１】
本発明のデータカートリッジには、コンピュータデータのバックアップに供される単リール型のテープカートリッジのほか、ケース本体内に左右一対のリールを備えるテープカートリッジも含まれる。さらに、情報記録媒体３の種別としては、磁気記録テープのほかに、光磁気ディスクなどを挙げることができ、したがって発明に係るデータカートリッジは、光磁気ディスクなどが内蔵されたディスクカートリッジをも含む概念である。メモリーカートリッジＭ１・Ｍ２が配置されるケース本体１の内壁面は、図示例のようなケース本体１の左側壁１３や後側壁１５に限られず、上下面壁の内面であってもよい。要は、対応するメモリーリーダＲ１・Ｒ２と正対する位置に、メモリーカートリッジＭ１・Ｍ２が配置されていればよい。
【００１２】
具体的には、第１メモリーカートリッジＭ１を、ドライブ装置２５への装填始端側となるケース本体１の前端寄りの内壁面に沿うよう配置し、第２メモリーカートリッジＭ２は、前記装填始端側とは反対側のケース本体１の後端寄りの内壁面に沿うよう配置することができる。
【発明の効果】
【００１３】
データカートリッジ内に２個の第１・第２のメモリーカートリッジＭ１・Ｍ２を配し、各メモリーカートリッジＭ１・Ｍ２をドライブ装置２５およびライブラリーマシーン２１のハンド部２０に設けた各メモリーリーダＲ１・Ｒ２に正対させて、無線接続状態を確立するようにしたので、読み書き信号の送信と受信とが確実に行える。したがって、電波の干渉やノイズの影響を受けることのない信頼性に優れたテープカートリッジが得られる。特に、ドライブ装置２５側のメモリーリーダＲ１とライブラリーマシーン２１側のメモリーリーダＲ２とが互いに直交する位置関係にあっても、読み書き信号の送信と受信とが確実に行え、ドライブ装置２５およびライブラリーマシーン２１におけるメモリーリーダＲ１・Ｒ２の配置位置に関して設計上の自由度が向上する。
【００１４】
メモリーカートリッジＭ１・Ｍ２が、ケース本体１の内壁面に沿って配置されているので、メモリーカートリッジＭ１・Ｍ２を傾けて配置する必要がない。したがって、ケース本体１の内部におけるメモリーカートリッジＭ１・Ｍ２の装填スペースを小さくでき、データカートリッジの設計上の自由度が向上する。しかも、ケース本体１内におけるメモリーカートリッジＭ１・Ｍ２の装填構造が簡素化し、さらに組み付け作業性が良くなり、データカートリッジの全体の製造コストを削減化できる。
【００１５】
ケース本体１内の内隅に生じる三角形状の内隅空所ＳにメモリーカートリッジＭ１・Ｍ２が配置されていると、元来はデッドスペースである当該部分を無駄なく有効活用することができ、これはデータカートリッジの小型化に貢献する。
【発明を実施するための最良の形態】
【００１６】
図１ないし図３は、本発明に係るデータカートリッジを単リール型のテープカートリッジに適用した実施例を示す。図１および図２においてテープカートリッジは、上下ケース１ａ・１ｂを蓋合わせ状に結合してなる角箱状のケース本体１を有し、ケース本体１内に配置した１個のリール２にテープ（情報記録媒体）３が巻装されている。
【００１７】
ケース本体１の前側壁の一側端（右側端）にはテープ引出口４を設けてある。テープ３の繰り出し端には、テープドライブ側の連結具で捕捉連結される先導体６を設けてある。不使用時の先導体６は、テープ引出口４の内面の上下に設けたキャッチ機構によって、直立する待機姿勢で保持固定される。なお、ここで言う「前方向」とは、テープドライブ（ドライブ装置）２５への装填始端側となる方向を意味し、「後方向」とは、該装填始端側とは反対側の方向を意味する。
【００１８】
ケース本体１の内隅部のうち、テープ引出口４を除く三方の内隅部には、リール２の周縁に沿う部分円弧状の遊動規制壁７によって、略三角形状の内隅空所Ｓが区画形成されている。これらのうち、ケース本体１の前方左側の内隅空所Ｓ１には、誤消去防止用の切換ピース９が配設されており、該当の内隅空所Ｓ１と、これとは別のケース後方左側の内隅空所Ｓ２には、２つのメモリーカートリッジＭ（Ｍ１・Ｍ２）がそれぞれ別々に配置されている。
【００１９】
図１においてメモリーカートリッジＭは、非接触型であって、絶縁性を有する横長四角形の基板１０と、これの一側面に配置したＩＣチップ１１と、ＩＣチップ１１の周囲を囲むように基板１０に配置されたアンテナ１２とからなる。
【００２０】
ケース本体１の前方左側の内隅空所Ｓ１に存する第１メモリーカートリッジＭ１は、ケース本体１の左側壁１３に沿って配置されており、ケース本体１の左外側方に向かって電磁波を送出する。
【００２１】
ケース本体１の後方左側の内隅空所Ｓ２に存する第２メモリーカートリッジＭ２は、ケース本体１の後側壁１５の垂直な内面に沿って配置されており、ケース本体１の後外側方に向かって電磁波を送出する。
【００２２】
各基板１０には、左側壁１３および後側壁１５と対向する外側面にアンテナ１２が位置しており、後述するメモリーリーダＲとの対向間隔が小さくなるようにしてある。ＩＣチップ１１およびアンテナ１２は、それぞれ外表面に塗布した絶縁性接着剤で被覆されて封止しておく。アンテナ１２は、絶縁銅線をコイル状に巻いて形成し、あるいは基板１０上に形成したコイル状のプリント配線からなる。
【００２３】
図１において、ケース本体１内に配置した第１・第２のメモリーカートリッジＭ１・Ｍ２は、それぞれが対応する左側壁１３および後側壁１５の内面に設けた位置決めリブ１６に係合して、内倒れしないように、かつガタ付かないように位置決め保持されている。各位置決めリブ１６は、上下ケース１ａ・１ｂにそれぞれに突設されていて、突き合わせ接合されており、メモリーカートリッジＭ１・Ｍ２の基板１０の長さ方向の両縁端を受け止める。ケース本体１の上下の内壁面には、基板１０の上下縁端を受け止める一対の溝（不図示）を設けてある。かくして、メモリーカートリッジＭ１・Ｍ２は、基板１０の板面が垂直になる姿勢で、しかもＩＣチップ１１がケース内方を指向する姿勢で、ケース本体１内に装着される。
【００２４】
図２および図３において、符号２０は、ライブラリーマシーン２１のハンド部を示す。ハンド部２０は、上下のハンドル２２・２２と、これらを連結する連結部２３とからなり、このハンド部２０で複数のテープカートリッジが収納されたラックから、ひとつのテープカートリッジを取り出して、これをテープドライブ２５のカートリッジ装着口２６に装填する。ハンド部２０は、ケース本体１の後端寄りの左右方向中央部を、上下方向の外側から狭着保持する。
【００２５】
ハンド部２０の連結部２３の左端面からは、治具２７が片持ち連出されており、この治具２７にメモリーリーダＲ２が設けられている。メモリーリーダＲ２は、ハンド部２０がテープカートリッジをつかんだときに、第２メモリーカートリッジＭ２と対峙する。そして、メモリーリーダＲ２がメモリーカートリッジＭ２内の管理情報などを読み出すことで、ライブラリーマシーン２１は、テープカートリッジの記録内容等を把握できる。
【００２６】
図３に示すように、テープドライブ２５のカートリッジ装填口２６の内部には、該装填口２６から差し込み装填されたテープカートリッジを受け止め支持するローディング枠２９が設けられており、このローディング枠２９の内奥の左側前端にメモリーリーダＲ１が組み付けられている。メモリーリーダＲ１は、カートリッジ装填口２６を介してテープドライブ２５内に差し込み装填されたテープカートリッジがセット位置にあるときに、先の第１メモリーカートリッジＭ１と対峙する位置にある。ここでセット位置とは、テープドライブ２５が駆動機構や信号読み書き機構などを駆動して、テープ２に対して情報信号を読み書きできるような、テープカートリッジの状態位置を意味する。
【００２７】
かくして、テープカートリッジがテープドライブ２５内に装填されると、メモリーリーダＲ１がメモリーカートリッジＭ１との間で無線接続状態を確立し、これにてテープドライブ２５は、メモリーカートリッジＭ１内に記憶のディレクトリ情報や管理情報等の各種情報を読み書きする。
【００２８】
上記のように、テープカートリッジ内に２個のメモリーカートリッジＭ１・Ｍ２を配し、各メモリーカートリッジＭ１・Ｍ２をテープドライブ２５およびライブラリーマシーン２１のハンド部２０に設けた各メモリーリーダＲ１・Ｒ２に正対させて、無線接続状態を確立するようにしてあると、読み書き信号の送信と受信とを確実に行える。したがって、電波の干渉やノイズの影響を受けることのない信頼性に優れたテープカートリッジが得られる。
【図面の簡単な説明】
【００２９】
【図１】本発明に係るデータカートリッジの内部平面図
【図２】ライブラリーマシーンによるデータカートリッジの捕捉状態を示す斜視図
【図３】テープドライブ内におけるテープカートリッジの状態を示す平面図
【符号の説明】
【００３０】
１  ケース本体
３  情報記録媒体（テープ）
２０  ハンド部
２１  ライブラリーマシーン
２５  ドライブ装置（テープドライブ）
Ｍ１  第１メモリーカートリッジ
Ｍ２  第２メモリーカートリッジ
Ｒ１  テープドライブ側のメモリーリーダ
Ｒ２  ライブラリーマシーン側のメモリーリーダ
【図１】
2005285179.tif 000003
【図２】
2005285179.tif 000004
【図３】
2005285179.tif 000005